(57)【要約】【課題】正面のみではなくいずれの方向からでも、蓋部を押し下げて開けることができ、蓋部を閉めて係止するための特別なスペースをとる必要がなく、また、蓋部を押し下げて開けるときに、柔らかい感触で開けることのできる容器を提供する。【解決手段】容器本体１と蓋部２とが後部に設けられたヒンジ部を介して接続した容器であって、容器本体の前部に係止受け部１１が設けられ、蓋部の前部に係止受け部と係止する係止突起１４が設けられ、蓋部には、前端部から後方に向けて２本の細長い切り欠きが設けられ、２本の切り欠きの後端部を結ぶように、薄肉部からなる蓋部ヒンジ部６が設けられ、そして、２本の切り欠きを塞ぐようにゴム弾性体１２が設けられている。【選択図】図５
2017001676.tif 000002
【特許請求の範囲】
【請求項１】
容器本体と蓋部とが後部に設けられたヒンジ部を介して接続した容器であって、前記容器本体の前部に係止受け部が設けられ、前記蓋部の前部に前記係止受け部と係止する係止突起が設けられ、前記蓋部には、前端部から後方に向けて２本の細長い切り欠きが設けられ、前記切り欠きを塞ぐようにゴム弾性体が設けられていることを特徴とする容器。
【請求項２】
前記蓋部を開くように付勢する付勢構造を有していることを特徴とする請求項１に記載の容器。
【請求項３】
２本の前記切り欠きの後端部を結ぶように、薄肉部からなる蓋部ヒンジ部が設けられていることを特徴とする請求項１または２に記載の容器。
【請求項４】
前記容器本体が天面板を有し、該天面板に収納物の取り出し口が設けられ、前記蓋部が前記取り出し口を塞ぐように形成されていることを特徴とする請求項１から３のいずれか１項に記載の容器。
【請求項５】
前記蓋部の内面に、容器を封じたときに前記取り出し口を囲むように、環状突起部が設けられていることを特徴とする請求項４に記載の容器。
【請求項６】
前記環状突起部が、前記ゴム弾性体と一体に形成されていることを特徴とする請求項５に記載の容器。
【請求項７】
前記容器本体の底部が開口部になっていて、該開口部を塞ぐ底蓋部が設けられていることを特徴とする請求項１から６のいずれか１項に記載の容器。
【請求項８】
前記蓋部が、前記蓋部本体を１次成型して、続いてゴム弾性体を２次成型する二色成型で形成されていることを特徴とする請求項１から７のいずれか１項に記載の容器。
【発明の詳細な説明】
【技術分野】
【０００１】
本発明は、容器に関するものである。特に、枚葉のウェットティッシュなどが複数収納され、その１片ずつ取り出せるようにした容器に関するものである。
【背景技術】
【０００２】
ウェットティッシュなどは、耐水溶性に加工された紙や、不織布に液体を含ませたものでなっていて、乾燥を防ぐためにプラスチック容器や、軟包装袋に密封されて販売されている。
【０００３】
用途は、手洗いや、洗顔、顔の化粧落とし、あるいは、乳幼児のオムツの交換時にお尻周りの拭き取り、更には、大判のもので、体を拭くのにも用いられている。また、最近では、トイレの拭き掃除などに使用する類似製品も多く出回っている。
【０００４】
ウェットティッシュなどを収納する軟包装袋は、切れ目などによって設けられた取出し口を塞ぐように粘着フィルムが貼られていて、粘着フィルムを一方より捲り上げて、取り出し口を開放して収納されたウェットティッシュなどを取り出す。再封は粘着フィルムで取り出し口を覆って、粘着フィルムの粘着材で袋の面に粘着させ密着させることで行う。
【０００５】
この軟包装袋に収納されたウェットティッシュなどは、携帯して使用する際は、コンパクトであり便利であるが、家庭で使用する際には、粘着フィルムを剥がしにくく、再封もきちんと隙間がないように密着する必要があり面倒であった。
【０００６】
そのため、開け閉めが容易で取り出しやすい容器にウェットティッシュなどを直接収納させ、あるいは、ウェットティッシュなどの入った軟包装袋の粘着フィルムを剥がして収納させることが行われるようになってきた。
【０００７】
例えば、容器本体と、容器本体に着脱可能な天蓋と、天蓋に回動可能に枢着された開閉蓋とを具備し、開閉蓋を開いた状態に付勢する弾性体が設けられていて、弾性体の付勢力に抗して開閉蓋を閉じた状態に保持するために互に係合する係止部が開閉蓋と天蓋とにそれぞれ設けられ、係止部の係合を解除するための操作部材が天蓋に取着されており、操作部材は断面がほぼＴ字状であり、Ｔ字の脚部が天蓋に設けられた溝に挿入され、Ｔ字の一端が閉じた状態の開閉蓋の下面に係合可能であり、その他端が押下げられると一端が上がって開閉蓋を押上げることを特徴とする容器がある（特許文献１）。
【０００８】
また、容器本体と、容器本体に揺動自在に取付けられた開閉蓋と、容器本体の下方開口を密閉する底蓋とを備え、容器本体と開閉蓋との間の揺動部分に、板ゴムが設けられ、容器本体の開閉蓋の自由端側に、第１部材と第２部材とからなる作動体が設けられていて、作動体にはバネ材が設けられ、作動体を押圧することによりバネ材が撓んで作動体が回動し、開閉蓋を押上げるようにした開閉自在容器がある（特許文献２）。
【０００９】
更にまた、蓋材本体の天板の取出口を封止する開閉小蓋の天板の前方所定位置の下面に、前方向きの嵌合部を先端にもつ嵌合板を垂設し、嵌合板と対応する蓋材本体の天板位置に、後方先端に嵌合部をもつ嵌合板を設け、蓋材本体の開口部を開口するときに、蓋材本体の嵌合板の上方に設けられた開口用梃子板の前方部を押し下げて、開閉小蓋を開くプラスチック製の開閉小蓋付蓋材において、蓋材本体の嵌合板が、前後方向の垂直断面形状がＵ字状で後方先端に後方向きの嵌合部を設けた開閉小蓋付蓋材を装着した容器もある（特許文献３）。
【００１０】
そしてまた、上板と開閉蓋との間の揺動部に、開閉蓋を開方向に向かって付勢するように弾性付勢手段と、内容物の引出し口を備えて取出し口を覆う取出し口覆い板と、取出し口の周縁にあって開閉蓋と接触する部分を密封する密封手段と、開閉ボタンの開閉作動を弾性的に司る作動力付与手段とが、上板上に弾性部材で一体に付着成形されている弾性材製複合蓋を有する包装用容器もある（特許文献４）。
【００１１】
しかし、これらの容器では、手で押し下げて蓋を開くが、開いた蓋が押し下げた手や指に当たるため、押し下げた手をすぐに引っ込めなければならない。正面方向以外から開けようとした場合、すぐに手を引っ込めることができず、手に当たったり邪魔になったりするので、正面方向から手を出して開けなければならない。また、押すためのボタンなどを設けるスペースを、容器本体あるいは蓋側に設ける必要がある。
【００１２】
公知文献を以下に示す。
【先行技術文献】
【特許文献】
【００１３】
【特許文献１】特開平１０−３２９８７８号公報
【特許文献２】特開２０００−２１１６６１号公報
【特許文献３】特開２００２−２６４９５９号公報
【特許文献４】特開２０１０−１０４６号公報
【発明の概要】
【発明が解決しようとする課題】
【００１４】
本発明は上記のような事情に鑑みてなされたもので、正面のみではなくいずれの方向からでも、蓋部を押し下げて開けることができ、蓋部を閉めて係止するための特別なスペースをとる必要がなく、また、蓋部を押し下げて開けるときに、柔らかい感触で開けることのできる容器を提供することを課題としている。
【課題を解決するための手段】
【００１５】
本発明は係る課題に鑑みなされたものであり、請求項１の発明は、容器本体と蓋部とが後部に設けられたヒンジ部を介して接続した容器であって、前記容器本体の前部に係止受け部が設けられ、前記蓋部の前部に前記係止受け部と係止する係止突起が設けられ、前記蓋部には、前端部から後方に向けて２本の細長い切り欠きが設けられ、前記切り欠きを塞ぐようにゴム弾性体が設けられていることを特徴とする容器である。
【００１６】
本発明の請求項２の発明は、前記蓋部を開くように付勢する付勢構造を有していることを特徴とする請求項１に記載の容器である。
【００１７】
本発明の請求項３の発明は、２本の前記切り欠きの後端部を結ぶように、薄肉部からなる蓋部ヒンジ部が設けられていることを特徴とする請求項１または２に記載の容器である。
【００１８】
本発明の請求項４の発明は、前記容器本体が天面板を有し、該天面板に収納物の取り出し口が設けられ、前記蓋部が前記取り出し口を塞ぐように形成されていることを特徴とする請求項１から３のいずれか１項に記載の容器である。
【００１９】
本発明の請求項５の発明は、前記蓋部の内面に、容器を封じたときに前記取り出し口を囲むように、環状突起部が設けられていることを特徴とする請求項４に記載の容器である。
【００２０】
本発明の請求項６の発明は、前記環状突起部が、前記ゴム弾性体と一体に形成されていることを特徴とする請求項５に記載の容器である。
【００２１】
本発明の請求項７の発明は、前記容器本体の底部が開口部になっていて、該開口部を塞ぐ底蓋部が設けられていることを特徴とする請求項１から６のいずれか１項に記載の容器である。
【００２２】
本発明の請求項８の発明は、前記蓋部が、前記蓋部本体を１次成型して、続いてゴム弾性体を２次成型する二色成型で形成されていることを特徴とする請求項１から７のいずれか１項に記載の容器である。
【発明の効果】
【００２３】
本発明の容器は、開けるために押す位置が蓋部の一部に形成されているため、正面のみではなくいずれの方向からでも、蓋部を押し下げて開けることができる。特に蓋部の背面側（ヒンジ部側）から押し下げて開封しようとした場合、蓋部は手指に追従する形で開くため、従来のような容器の正面に押す位置（押し下げ部）を設けた形態のように、開いた蓋部に手指がぶつからないように慌てて避ける必要がない。また、蓋部を閉めて係止するための特別なスペースをとる必要がなく、更には、蓋部を押し下げて開けるときに、柔らかい感触で開けることができる。
【図面の簡単な説明】
【００２４】
【図１】本発明の容器の一例を模式的に平面で示した説明図である。
【図２】本発明の容器の一例を模式的に正面で示した説明図である。
【図３】本発明の容器の一例を模式的に背面で示した説明図である。
【図４】本発明の容器の一例で蓋部を開いた状態を模式的に平面で示した説明図である。
【図５】（ａ）（ｂ）（ｃ）本発明の容器の一例の係止部を模式的に断面で示した説明図である。
【図６】本発明の容器の他の例の係止部を模式的に断面で示した説明図である。
【発明を実施するための形態】
【００２５】
以下、本発明を実施するための形態につき説明する。
図１は、本発明の容器の一例を模式的に平面で示した説明図、図２は、本発明の容器の一例を模式的に正面で示した説明図、図３は、本発明の容器の一例を模式的に背面で示した説明図、図４は、本発明の容器の一例で蓋部を開いた状態を模式的に平面で示した説明図である。
【００２６】
本例の容器１００は、図１、図２、図３の平面図、正面図、背面図に示すように、容器本体１と蓋部２とが後部に設けられたヒンジ部３を介して接続し、容器本体１の底部が開口部になっていて、開口部を塞ぐ底蓋部４が設けられている。底蓋部４には、溝が環状に設けられていて、容器本体１の下端がこの溝にはまり込んで、気密に嵌合している。
【００２７】
蓋部２には、前端部から後方に向けて２本の細長いＵ字状の切り欠き５、５が設けられていて、２本のＵ字状の切り欠き５、５の後端部を結ぶように、薄肉部からなる蓋部ヒンジ部６が設けられている。また、２本のＵ字状の切り欠き５、５の間には、ここを押して開けることを表示する表示部７が形成されている。また、容器本体１の上面の天面板８には蓋部２が収まってほぼ面位置になるように、窪み部９が設けられている。
【００２８】
図４の蓋部を開いた状態の平面図に示すように、容器本体１の上面の天面板８に設けられた窪み部９には開口部が設けられていて、収納物を取り出すための取り出し口１０にな
っている。また、窪み部９の前部の壁には、内方に窪んだ係止受け部１１が設けられている。
【００２９】
蓋部２の内面には、ゴム弾性体１２が蓋部裏面のほとんどの部分を占めるように設けられている。このため、ゴム弾性体１２がおもて面に見える２本の細長いＵ字状の切り欠き５、５を覆って塞いでいる。
【００３０】
また、ゴム弾性体１２には、容器を封じたときに前記取り出し口１０を囲むように、環状突起部１３が設けられている。環状突起部１３は、収納物がウェットティッシュなどの乾燥を防ぐに設けている。そして、蓋部２の前部には、容器本体１の係止受け部１１と係止する係止突起１４が設けられている。係止受け部１１と係止突起１４により、係止させて蓋が開かないようにしている。
【００３１】
一方、特に別部材からなる蓋部２において、射出成型等により成型する際、蓋部２をベース樹脂で成型し、切り欠き５、５および環状突起部１３など部分的に、ゴム系樹脂からなるゴム弾性体１２を同時に成型することも可能である。
【００３２】
容器本体１と蓋部２と接続するヒンジ部３は、本例では、薄肉部ではなく、容器本体１の設けた軸受けに蓋部２に設けた軸を嵌合させて形成している。そして、容器本体１と蓋部２に両端を固定させた板状のゴムを蓋部２が開くように付勢する付勢構造１５として設けてある。その他の付勢構造として、金属バネ等を用いても良い。
【００３３】
図５（ａ）（ｂ）（ｃ）は、本発明の容器の一例の係止部を模式的に断面で示した説明図である。
【００３４】
蓋部２が容器本体１に係止されているとき、蓋部２は付勢構造１５によって開く方向すなわち上に付勢されている。そして、係止部分の断面図の図５の（ａ）のように、容器本体１の係止受け部１１に蓋部２の係止突起１４が引っ掛かるように入って係止している。
【００３５】
また、図５の（ａ）から解るように、蓋部２に設けられた蓋部ヒンジ部６は上から溝を掘るように形成されていて、蓋部ヒンジ部６の下面は平らになっている。そして、ゴム弾性体１２は、この平らな面に設けられている。そして、このゴム弾性体１２に環状突起部１３が一体として設けられている。
【００３６】
蓋を開けるには、表示部７を上から押すと、図５（ｂ）のように、蓋部２が蓋部ヒンジ部６で折れ曲がり、係止突起１４が、容器本体１の係止受け部１１から外れ、下方に移動する。
【００３７】
そして、表示部７を押すのを止めて手を蓋部２から離すと、蓋部２は付勢構造１５によって付勢されているので、図５（ｃ）のように、蓋部２が蓋部ヒンジ部６で折れ曲がったまま、蓋が持ち上がり、蓋を開けることができる。
【００３８】
図６は、本発明の容器の他の例の係止部を模式的に断面で示した説明図である。
【００３９】
本例においては、ゴム弾性体１２を蓋部２の下面に設けたが、図６のように、ゴム弾性体１２を蓋部２の上面に設けてもよい。この場合は、蓋部ヒンジ部６を下から溝を掘るように形成して、蓋部ヒンジ部６の上面を平らにして、ゴム弾性体１２を設けることが好ましい。
【００４０】
以下、製造方法について説明する。蓋部２はまず、ゴム弾性体１２以外の蓋部本体を、
二色成型（インジェクション）の１次成型で形成し、続いて、２次成型でゴム弾性体１２を形成し、一体的に蓋部２を形成する。
【００４１】
ゴム弾性体１２は、ゴム弾性を有する樹脂で成型する。例えば、蓋部２のゴム弾性体１２以外の部分がポリオレフィン系の樹脂であれば、ゴム弾性体１２は、熱融着可能な、エチレンプロピレンゴムやスチレン系エラストマーを好ましく用いることができる。
【００４２】
また、容器本体１や底蓋部４もポリオレフィン系の樹脂などを用いて、インジェクション成型でそれぞれ、作成することができる。また、付勢構造１５の板状のゴムもゴム弾性体１２より高い弾性保持継続性を有する、シリコン系のゴムなどを用いることができる。板状のゴムは、インジェクション成型に限らず、圧縮成型等の他の製造方法で形成しても構わない。
【００４３】
また、この容器の蓋が開閉するコンセプトは、付勢構造１５の板状ゴムの反発力により蓋が開く速度が、ゴム弾性体１２のゴムが押し釦を元の位置に復元する速度より速くないと蓋が開かない。そのためゴムの弾性や硬度や厚みをその様に機能する仕様に調整しなければならない。又、蓋に形成しているゴム弾性体１２は、蓋が開き切った時点で、押し釦が元の位置となるように調整する必要がある。
【００４４】
仮に、ゴム弾性体１２のゴムが押し釦（押し下げ部）を元の位置に復元するまでに要する時間をＴ１、付勢構造１５板状ゴムの反発力により蓋が全開状態となるまでに要する時間をＴ２とした場合、少なくとも以下の条件を満たす必要がある。
Ｔ１＞１／４・Ｔ２
そして、形成された蓋部２の軸を容器本体１の軸受けに嵌めこみ、ヒンジ部３を形成し、容器本体１と蓋部２に板状のゴムの両端を固定して、付勢構造１５を設ける。また、容器本体１の底部の開口部を底蓋部４で塞ぐ。これにより、容器１００ができる。容器１００の中に枚葉のウェットティッシュなどを収納するには、この底蓋部４を開いて収納させる。
【００４５】
以上のように、本発明の容器は、開けるために押す位置が蓋部になっていて、開けるとき手を上げないと蓋が開放されないので、開けるときに開いた蓋部が手にぶつかることがなく、正面のみではなくいずれの方向からでも、開いた蓋部が手に当たることなく開けることができる。また、蓋部を閉めて係止するための特別なスペースをとる必要がなく、更には、蓋部を押し下げて開けるときに、柔らかい感触で開けることができる。
【符号の説明】
【００４６】
１００・・・容器
１・・・容器本体
２・・・蓋部
３・・・ヒンジ部
４・・・底蓋部
５・・・切り欠き
６・・・蓋部ヒンジ部
７・・・表示部
８・・・天面板
９・・・窪み部
１０・・・取り出し口
１１・・・係止受け部
１２・・・ゴム弾性体
１３・・・環状突起部
１４・・・係止突起
１５・・・付勢構造
【図１】
2017001676.tif 000003
【図２】
2017001676.tif 000004
【図３】
2017001676.tif 000005
【図４】
2017001676.tif 000006
【図５】
2017001676.tif 000007
【図６】
2017001676.tif 000008